(57)【要約】      （修正有）【課題】収納体に固着具の頭部を露出させることなく金属製クリップを安定的に固定できる収納体における金属製クリップの取付構造を提供する。    【解決手段】取付板部３１と折返板部３２とを備えた金属製クリップ３０を収納体に取付ける。取付板部３１より幅広で収納体を構成する外装シート部材１１より硬質の材質で一端部を取付板部の端部に位置するように配置された状態でリベット３５、３６により接合される板状部材２０と、板状部材を折返板側から覆い一端部が板状部材の下側に巻き込まれた状態で配置される第１シート部材２１と、取付板部の反取付板側に配置され取付板部を挟んだ状態でリベットの端部を覆い隠して第１シート部材に接合される第２シート部材２２とを備え、板状部材は金属製クリップを挟む両側位置と他端側において第１シート部材２１に接合されている。【選択図】図２
0003207532.tif 000002
【実用新案登録請求の範囲】
【請求項１】
固着穴が形成された取付板部と、前記取付板部の端部から折り返し形成され、前記取付板部との間に被取付部材を挟む挟持隙間を形成する折返板部と、を備えた金属製クリップを外装シート部材が接合されて構成された収納体に取付ける構造において、
前記取付板部より幅広に形成され、一端部を前記取付板部の前記端部に位置するように配置された状態で、前記固着穴に挿通されて両端を拡径された固着具によって前記取付板部の折返板部側の面に接合される板状部材と、
前記取付板部に固着された前記板状部材を前記折返板側から覆い、一端部が前記板状部材の一端部の下側に巻き込まれた状態で配置される第１シート部材と、
前記取付板部の反取付板側に配置され、前記取付板部を挟んだ状態で、前固着具の拡径部を覆い隠して前記第１シート部材に接合される第２シート部材と、を備え、
前記板状部材は、金属製クリップを挟む両側位置と他端側において前記第１シート部材に接合されている、
ことを特徴とする収納体における金属製クリップの取付構造。
【請求項２】
前記第１シート部材の前記一端部は、折り返され、この折り返された部分が前記板状部材と前記取付板部との間に配置されることを特徴とする請求項１に記載の収納体における金属製クリップの取付構造。
【請求項３】
前記第２シート部材が前記収納体の前記外装シート部材の一部をなすことを特徴とする請求項１又は請求項２に記載の収納体における金属製クリップの取付構造。
【請求項４】
前記第２シート部材の内側に袋状をなす内装シート部材を配置したことを特徴とする請求項１から請求項３までのいずれか一項に記載の収納体における金属製クリップの取付構造。
【請求項５】
前記取付板部には、幅方向及び長さ方向に異なる位置に複数の前記固着穴が形成されていることを特徴とする請求項１から請求項４までのいずれか一項に記載の収納体における金属製クリップの取付構造。
【請求項６】
前記固着具は、リベットであることを特徴とする請求項１から請求項５までのいずれか一項に記載の収納体における金属製クリップの取付構造。
【請求項７】
前記外装シート部材は、縫製加工により接続されて全体として袋状のペンケースを形成し、前記外装シート部材を形成する面のうち前記第２シート部材が配置された側と反対側の面に直線状の開口部を備え、前記開口部には前記開口部を開閉する線ファスナーが配置されていることを特徴とする請求項１から請求項６までのいずれか一項に記載の収納体における金属製クリップの取付構造。
【考案の詳細な説明】
【技術分野】
【０００１】
本考案は、ペンケース等の収納体に金属製クリップを取付ける構造に関する。
【背景技術】
【０００２】
従来ペン等の筆記具を手帳やノートとともに持ち歩くことが要望され、手帳にはペン取付部が形成されているものがある。また、複数の筆記具を手帳等と共に持ち歩くため、複数の筆記具を収納可能としたペンケースを手帳等の他の部材に取付け可能としたものもある。
【０００３】
ペンケースとしては、柔軟なシート部材、例えば布や革で形成したものが使用され、このようなペンケースに金属製のクリップを取付け、このクリップによりペンケースを手帳やノートその他のものに取付けたいという要望がある。
【０００４】
特許文献１には、複数の筆記具を収納可能でポケットに収納可能なペンケースとして、衣類のポケットに配置するペンケースであって、比較的厚地の布や皮革あるいは合成樹脂等のシート材を利用して、上部を開放した筒型ケースを形成し、該上部開口部の一方側縁に、該ケースをポケットの端縁に係留する止め具を設けて構成したものが記載されている。
【先行技術文献】
【特許文献】
【０００５】
【特許文献１】実登３０１６３１０号公報
【考案の概要】
【考案が解決しようとする課題】
【０００６】
しかし、特許文献１に記載のものは、ペンケースを比較的厚地のシート材で構成したペンケースに留め具を設けたものである。このため、布等柔らかいシート材で形成したペンケースに金属製のクリップを配置するためにはそのまま適用することができない。
【０００７】
金属製クリップを他の非金属製の部材に強固に固定するためには、金属製クリップと、他の部材とを固着具であるリベットで「かしめ」により固着することが一般的である。しかし、リベットの頭部がペンケースの表面や内部に露出すると、筆記具、手帳、ノート、その他のものに頭部が接触して損傷させるおそれがある。また、柔軟なシート部材で構成した収納体に配置した金属製クリップは、収納体に対してぐらつき、取付け位置や姿勢が変動しやすく、収納体を金属製クリップにより他物品に取付けたととき、収納体が他物品に安定して保持されないという問題がある。
【０００８】
本考案は上述した課題に鑑みてなされたものであり、シート部材で形成した収納体に固着具の頭部を露出させることなく、金属製クリップを収納体にぐらつくことなく安定して固定できる収納体における金属製クリップの取付構造を提供することを目的とする。
【課題を解決するための手段】
【０００９】
前記課題を解決する請求項１に記載の考案は、固着穴が形成された取付板部と、前記取付板部の端部から折り返し形成され、前記取付板部との間に被取付部材を挟む挟持隙間を形成する折返板部と、を備えた金属製クリップを外装シート部材が接合されて構成された収納体に取付ける構造において、前記取付板部より幅広に形成され、一端部を前記取付板部の前記端部に位置するように配置された状態で、前記固着穴に挿通されて両端を拡径された固着具によって前記取付板部の折返板部側の面に接合される板状部材と、前記取付板部に固着された前記板状部材を前記折返板側から覆い、一端部が前記板状部材の一端部の下側に巻き込まれた状態で配置される第１シート部材と、前記取付板部の反取付板側に配置され、前記取付板部を挟んだ状態で、前固着具の拡径部を覆い隠して前記第１シート部材に接合される第２シート部材と、を備え、前記板状部材は、金属製クリップを挟む両側位置と他端側において前記第１シート部材に接合されている、ことを特徴とする。
本考案によれば、金属製クリップは板状部材に固着具で強固に取付けることができとともに、板状部材に金属製クリップを固着具で固着された状態で固着具の一端部と取付板部は第１シート部材で覆われ、固着具の他端部は第２シートで覆われる。また、金属製クリップの取付板部を板状部材に固着具で安定的に固定できる。
よって、シート部材で形成した収納体に金属製クリップを固着部の頭部を収納体の内外に露出させることなく、且つ、安定的に固定できる。
【００１０】
同じく請求項２に記載の考案は、前記第１シート部材の前記一端部は、折り返され、この折り返された部分が前記板状部材と前記取付板部との間に配置されることを特徴とする。本考案によれば、第２シート部材の側端部は、折り返されて前記板状部材と第１シート部材に挟まれて配置される。
よって、第１シート部材の端部が補強されるので、収納体に金属製クリップをより強固に取付けることができる。
【００１１】
同じく請求項３に記載の考案は、前記第２シート部材が前記収納体の前記外装シート部材の一部をなすことを特徴とする。本考案によれば、第２シート部材のが収納体の外部に現れる。
よって、第２シートを収納体の外装の一部とでき、収納体を製造するための材料を削減できる。
【００１２】
同じく請求項４に記載の考案は、前記第２シート部材の内側に袋状をなす内装シート部材を配置したことを特徴とする。本考案によれば、収納体には、内部に袋状の内装シート部材が配置される。
よって、収納体の収納物が固着具による損傷が防止できる。
【００１３】
同じく請求項５に記載の考案は、前記取付板部には、幅方向及び長さ方向に異なる位置に複数の前記固着穴が形成されていることを特徴とする。本考案によれば、取付板部には幅方向及び長さ方向に異なる位置に複数の固着穴が形成され、金属製クリップは、それぞれの固着穴おいて固着具で板状部材に固着される。
よって、金属製クリップは、確実に板状部材に固着される。
【００１４】
同じく請求項６に記載の考案は、前記固着具は、リベットであることを特徴とする。本考案によれば、固着具をリベットとし、その頭部をかしめることにより、金属製クリップを第１シート部材に固着する。
よって、金属製クリップを第１シート部材に確実に固着することができる他、安価でかしめ処理が容易なリベットを使用することにより、材料費と製造の手間とを削減して製造コストを低減することができる。
【００１５】
同じく請求項７に記載の考案は、前記外装シート部材は、縫製加工により接続されて全体として袋状のペンケースを形成し、前記外装シート部材を形成する面のうち前記第２シート部材が配置された側と反対側の面に直線状の開口部を備え、前記開口部には前記開口部を開閉する線ファスナーが配置されていることを特徴とする。本考案によれば、第１シート部材、第２シート部材、及び前記外装シート部材を縫製加工により接続して線ファスナーを配置した直線状開口を備えたペンケースを製造できる。
よって、製造されたペンケースは、手帳等の他の部材に金属製クリップで取付けることができる。また、このペンケースは、簡単な工程により、構造な構成で金属製クリップを固定して製造できる。
【考案の効果】
【００１６】
本考案に係る収納体における金属製クリップの取付構造によれば、柔軟なシート部材で形成した収納体にリベット頭部を露出させることなく金属製クリップを安定的に固定できる。
【００１７】
即ち、請求項１に記載の収納体における金属製クリップの取付構造によれば、シート部材で形成した収納体に金属製クリップを固着部の頭部を収納体の内外に露出させることなく、且つ、安定的に固定できる。
【００１８】
また、請求項２に記載の収納体における金属製クリップの取付構造によれば、第１シート部材の端部が補強されるので、収納体に金属製クリップをより強固に取付けることができる。
【００１９】
また、請求項３に記載の収納体における金属製クリップの取付構造によれば、第２シートを収納体の外装の一部とでき、収納体を製造するための材料を削減できる。
【００２０】
また、請求項４に記載の収納体における金属製クリップの取付構造によれば、収納体の収納物が固着具による損傷が防止できる。
【００２１】
また、請求項５に記載の収納体における金属製クリップの取付構造によれば、金属製クリップは、確実に板状部材に固着される。
【００２２】
また、請求項６に記載の収納体における金属製クリップの取付構造によれば、金属製クリップを第１シート部材に確実に固着することができる他、安価でかしめ処理が容易なリベットを使用することにより、材料費と製造の手間とを削減して製造コストを低減することができる。
【００２３】
そして、請求項７に記載の収納体における金属製クリップの取付構造によれば、製造されたペンケースは、手帳等の他の部材に金属製クリップで取付けることができ、また、このペンケースは、簡単な工程により、構造な構成で金属製クリップを固定して製造できる。
【図面の簡単な説明】
【００２４】
【図１】本考案の実施形態に係る収納体における金属製クリップの取付構造を適用したペンケースを示す図であり、（ａ）は開口側を示す斜視図、（ｂ）は金属製クリップ取付側を示す斜視図である。
【図２】同ペンケースの構成を示す模式図であり、（ａ）は図１中のＡ−Ａ線に相当する断面図、（ｂ）は（ａ）中のＢ−Ｂ線に相当する断面図である。
【図３】同ペンケースに使用する金属製クリップ、板状部材、第１シート部材、及び第２シート部材を示す斜視図である。
【図４】同ペンケースにおける板状部材、金属製クリップ、第１シート部材、及び第２シート部材を組み付けた状態を示す図であり、（ａ）は斜視図、（ｂ）は（ａ）中のＣ−Ｃ線に相当する断面図、（ｃ）は（ａ）中のＤ−Ｄ線に相当する断面図である。
【図５】同ペンケースにおける金属製クリップ、板状部材、及び第１シート部材の組み立て状態を示す斜視図である。
【図６】同ペンケースにおける金属製クリップ、板状部材、第１シート部材、及び第２シート部材の組み立て状態を示す斜視図である。
【考案を実施するための形態】
【００２５】
本考案を実施するための形態に係る収納体における金属製クリップの取付構造について説明する。以下、収納体として筆記具等を収納するペンケースを例として説明する。なお、収納体としてはペンケースに限らず、本考案は、小物ポーチ等他の収納体にも適用できる。
【００２６】
図１は本考案の実施形態に係る収納体における金属製クリップの取付構造を適用したペンケースを示す図であり、（ａ）は開口側を示す斜視図、（ｂ）は金属製クリップ取付側を示す斜視図、図２は同ペンケースの構成を示す模式図であり、（ａ）は図１中のＡ−Ａ線に相当する断面図、（ｂ）は（ａ）中のＢ−Ｂ線に相当する断面図である。
【００２７】
本実施形態において、収納体１０は、全体が布製であり縫合加工により製造されている。また、収納体１０は、図１（ａ）、（ｂ）に示すように、底面部１０Ａと、この底面部１０Ａの上部を覆う上面部１０Ｂとを備えている。収納体１０は、長手方向の両端が縫合線４６、４７で縫合されており、全体やや長尺の袋状に形成されている。また、上面部１０Ｂには、直線状の開口１３が形成され、この開口１３には、開口１３を開閉可能とする線ファスナー１４が配置されている。この線ファスナー１４には、スライダ１５、及びつまみ１６を備えている。線ファスナー１４は、開口１３の周囲に縫合線４１で縫合されている。
【００２８】
更に、収納体１０の一端には、把手環部１７が配置され、他端には線ファスナー１４で開口１３を閉めるとき、指でつまんでスライダ１５の動きを補助するつまみ片１８が配置されている。更に他端には、ロゴマーク等が表示されるタグ片１９が配置されている。
【００２９】
本実施形態において、収納体１０は、図２に示すように、底面部１０Ａに布製の所定形状の外装シート部材１１を接合して袋状に形成される。更に、収納体１０の内部は、袋状に形成される布製の内装シート部材１２が配置される。第１シート部材２１と外装シート部材１１とは、縫合線４２、４２で縫合されている。
【００３０】
そして、本実施形態に係る収納体１０において、底面部１０Ａには金属製クリップ３０が配置されている。収納体１０の全体構造は公知のものであるので、以下、収納体１０への金属製クリップ３０の取付け構造について説明する。
【００３１】
図３は同ペンケースに使用する金属製クリップ、板状部材、第１シート部材、及び第２シート部材を示す斜視図、図４は同ペンケースにおける板状部材、金属製クリップ、第１シート部材、及び第２シート部材を組み付けた状態を示す図であり、（ａ）は斜視図、（ｂ）は（ａ）中のＣ−Ｃ線に相当する断面図、（ｃ）は（ａ）中のＤ−Ｄ線に相当する断面図である。また、図５は同ペンケースにおける金属製クリップ、板状部材、及び第１シート部材の組み立て状態を示す斜視図、図６は同ペンケースにおける金属製クリップ、板状部材、第１シート部材、及び第２シート部材の組み立て状態を示す斜視図である。なお、各図において各シートの周囲端部は、ほつれ等の防止のため、折り返しを形成していることがあるが、図中記載を省略している。
【００３２】
金属製クリップ３０は、図３に示すように、全体が例えばステンレス鋼板材を曲げ加工、穴開け加工して形成されている。金属製クリップ３０は、取付板部３１と、折返板部３２とから構成される。取付板部３１には、固着具であるリベット３５、３６が挿入される固着穴３３、３４が開設される。この固着穴３３、３４は、２箇所に配置され、幅方向、長さ方向に異なる位置に配置される。折返板部３２は、取付板部３１の端部である取付板端部３７から折り返し形成され、取付板部３１との間に手帳等の被取付部材を挟む挟持隙間３８を形成する。
【００３３】
本実施形態において、金属製クリップ３０は、予め板状部材２０と第１シート部材２１に取付けられる。そして、この状態で第２シート部材２２を取付け、すべての部材を縫合して組み立てた状態で、第１シート部材２１と第２シート部材２２が底面部１０Ａに現れる。金属製クリップ３０、板状部材２０、第１シート部材２１、第２シート部材２２を組み付けが完了した状態で、底面部１０Ａの周囲に上面部１０Ｂとして外装シート部材１１が縫合され、更に内装シート部材１２が縫合され、開口１３等が取付けられ、収納体１０が完成する。
【００３４】
板状部材２０は、図３に示すように、長方形状の部材であり、外装シート部材１１、第１シート部材２１、第２シート部材２２より硬質の部材、例えば合成樹脂、皮革、布等で形成される。板状部材２０は、金属製クリップ３０の取付板部３１の長さ寸法より長く、取付板部３１の幅寸法より幅広に構成される。また、板状部材２０には、リベット３５、３６の挿通穴２４、２５が開設されている。第１シート部材２１は、長方形状の布材であり、板状部材２０の長さ寸法より長く、板状部材２０の幅寸法より幅広に構成される。また、第２シート部材２２は、第１シート部材２１より長く形成された長方形状の布材である。第１シート部材２１及び第２シート部材２２は、底面部１０Ａのそれぞれ一部として収納体１０の表面に現れるため所定の色、模様等を備える。
【００３５】
金属製クリップ３０、板状部材２０、第１シート部材２１を接合するには、先ず、板状部材２０に金属製クリップ３０を接合する。このとき、図５に示すように、第１シート部材２１の一端部２１ａを折り曲げて、板状部材２０と取付板部３１との間に配置しておく。そして、収納体１０に取付板部３１を配置した状態で、第１シート部材２１の固着穴３３、３４と板状部材２０の挿通穴２４、２５にリベット３５、３６を挿通し、リベット３５、３６の軸端部をかしめる。これにより、板状部材２０に金属製クリップ３０に接するようにリベット３５、３６の一端部がかしめ処理により拡径され、リベット頭部との間で板状部材２０と取付板部３１とが挟んで固着される。
【００３６】
そして、板状部材２０に金属製クリップ３０を取付けた状態で、第１シート部材２１を板状部材２０に接触させ、板状部材２０の下端部において縫合線４４において、取付板部３１を挟む両側位置において縫合線４３、４３において、板状部材２０と第１シート部材２１とを接合する。
【００３７】
次いで、この状態で第１シート部材２１に第２シート部材２２を接合する。第１シート部材２１と第２シート部材２２とは、第１シート部材２１の他端部において縫合線４５により、及び縫合線４２、４２（図１（ｂ）参照）により接合される。これにより、図４に示すように、板状部材２０、第１シート部材２１、第２シート部材２２及び金属製クリップ３０が接合された状態となる。
【００３８】
収納体１０を組み立てるには、この状態で第２シート部材２２の金属製クリップ３０から飛び出た部分（図５（ｂ）中のＢ部）を金属製クリップ３０と反対側に折り返すと共に、外装シート部材１１と内装シート部材１２を縫合し、更に線ファスナー１４を取付け、把手環部１７、つまみ片１８、タグ片１９を取付ける。これらの組み付けは公知の手順による。
【００３９】
以上のように本実施形態に係る収納体における金属製クリップの取付構造によれば、金属製クリップ３０を硬質の板状部材２０に取付けているので、柔軟なシート材で形成された収納体１０に安定して金属製クリップ３０を取付けることができる。また、リベット３５、３６の頭部を第１シート部材２１と第２シート部材２２とで覆っているので、収納体１０の内外に固着具の頭部を露出させることがなく、収納物や外部の部材等に損傷を与えることがない。
【００４０】
更に、金属製クリップ３０は、取付板部３１の固着穴３３、３４おいてリベット３５、３６で板状部材２０に固着されるので、金属製クリップを確実に固着できる。この際、固着具としてリベットを使用しているので、金属製クリップ３０を第１シート部材に確実に固着することができる。固着具として安価でかしめ処理が容易なリベットを使用しているので、材料費と製造の手間とを削減して製造コストを低減することができる。
【００４１】
なお、上記実施形態では、外装シート部材１１、内装シート部材１２、第１シート部材２１として布を使用した例を示したが、各部材は布に限らずシート部材であれば天然皮革、合成皮革、合成樹脂シートその他のシート材であってもよい。また、金属製クリップ３０を板状部材２０に固定する固着具として金属製のリベットを使用した例を示したが、固定具はリベットに限らず、金属製、合成樹脂製の他の形式で固着を行うファスナーであってもよい。
【００４２】
また、収納体１０には、内装シート部材１２を配置したが、この内装シート部材１２は使用することなく収納体１０を構成できる。この場合であっても、リベット３５、３６の頭部は、収納体１０の内側を第１シート部材２１で覆われるため、収納物に損傷を与えることがない。
【００４３】
また、収納体としてやや長尺形状のペンケースを例として説明したが、収納体であれば、他の収容物を収納する他の形状のものであってもよい。
【産業上の利用可能性】
【００４４】
本考案に係る収納体における金属製クリップの取付構造は、柔軟なシート部材で形成した収納体にリベット頭部を露出させることなく金属製クリップを安定して固定できるので、辺ケース、各種収納ポーチ等に適用でき産業上の利用できる。
【符号の説明】
【００４５】
１０：収納体
１０Ａ：底面部
１０Ｂ：上面部
１１：外装シート部材
１２：内装シート部材
１３：開口
１４：線ファスナー
１５：スライダ
１６：つまみ
１７：把手環部
１８：つまみ片
１９：タグ片
２０：板状部材
２１：第１シート部材
２１ａ：一端部
２２：第２シート部材
２４、２５：挿通穴
３０：金属製クリップ
３１：取付板部
３２：折返板部
３３、３４：固着穴
３５、３６：リベット
３７：取付板端部
３８：挟持隙間
４１、４２、４３、４４、４５：縫合線
【図１】
0003207532.tif 000003
【図２】
0003207532.tif 000004
【図３】
0003207532.tif 000005
【図４】
0003207532.tif 000006
【図５】
0003207532.tif 000007
【図６】
0003207532.tif 000008